(57)【要約】      （修正有）【課題】排泄用検知センサの取り付けおよび取り外しが容易で、かつ確実に排泄用検知センサが被介護者の排尿・排便を検知できる紙おむつを提供する。【解決手段】紙おむつ１は、排泄部５を有するおむつ本体４と、第一電極と第二電極とからなる平面電極を備える電極部１０、平面電極に接続される光源と検出部２０を有する排泄用検知センサ２と、排泄部に形成されているポケット３を備える。平面電極はポケットに収容される。【選択図】図１
0003201723.tif 000002
【実用新案登録請求の範囲】
【請求項１】
排泄部を有するおむつ本体と、
第一電極と第二電極からなる平面電極、前記平面電極に接続される、通知手段部と検出部を有する排泄用検知センサと、
前記排泄部に形成されているポケットと、を備え、
前記平面電極が、前記ポケットに収容されている、
ことを特徴とする紙おむつ。
【請求項２】
前記第一電極は、複数の第一直線部および前記第一直線部に連接する複数の第一屈曲部からなり、前記第二電極は、複数の第二直線部および前記第二直線部に連接する複数の第二屈曲部からなり、
前記第一電極と前記第二電極とは、０．８ｍｍ〜１．０ｍｍの間隔を空けて、互い違いに配置され、排泄物の水分によって前記第一電極および前記第二電極が導通したことを、前記検出部によって検出する、
ことを特徴とする請求項１に記載の紙おむつ。
【請求項３】
前記第一電極および前記第二電極は、基板により保持され、
前記第一電極は第一接点を介して第一配線により前記検出部と接続され、前記第二電極は第二接点を介して第二配線により前記検出部と接続され、
前記第一接点と、前記第二接点とは、隣り合わせに配置され、
前記第一電極および前記第二電極は、前記基板の中央付近で、フック状の電極と、Ｌ字状の電極と、にそれぞれ分岐している、
ことを特徴とする請求項１又は請求項２に記載の紙おむつ。
【考案の詳細な説明】
【技術分野】
【０００１】
本考案は、例えば、被介護者が排尿・排便したときに、周囲に知らせることができる紙おむつに関するものである。
【背景技術】
【０００２】
乳幼児、高齢者や高度障害者など、介護が必要な者（以下、被介護者という。）は、排尿・排便を自己で処理をすることが困難である場合、紙おむつを使用する。紙おむつは、排泄物を内部に保持するものであり、被介護者が排尿等をしてから、紙おむつを交換するまで、長い時間が経過してしまうと、不快感を生じ、快適に過ごすことができなくなる。また、排尿等による排泄物が内部に長い時間保持されると、被介護者にとって不衛生となる。さらに、排泄物の臭気が周囲に漏れた場合、周囲の環境も悪化する。そのため、被介護者を介護する者（以下、介護者という。）は、被介護者が排尿等をしてから、なるべく早く紙おむつを交換することが望ましい。
【０００３】
しかし、被介護者が排尿等をしたことを何らかの手段で介護者に知らせなければ、介護者はそのことに気づくことができない。また、被介護者自身が、排尿等をしたことに気づかないこともあり、介護者は被介護者が排尿等をしたことに気づくことがさらに困難になる。
このような問題点を解消するために、紙おむつの排尿等を介護者に知らせるための排泄用検知センサが知られている。例えば、排泄物の水分を検出する平面電極が表面に露出した排泄用検知センサが知られている。この排泄用検知センサは、紙おむつに対して、粘着テープで取り付けられている。この際、排泄用検知センサの平面電極が露出している面は、身体と触れないように、紙おむつ側の向きに取り付けられる。
【考案の概要】
【考案が解決しようとする課題】
【０００４】
この排泄用検知センサは、粘着テープにより紙おむつに取り付けられるため、紙おむつを交換する度に、取り付ける位置を決め、粘着テープで固定する作業が必要であり、その作業に手間がかかる。また、紙おむつを交換する度に、排泄用検知センサを固定している粘着テープを剥がさなければいけない。また、排泄用検知センサの平面電極が露出している面を紙おむつ側に向けて取り付けなければいけないため、その度に、平面電極が露出している面の向きを確認しながら取り付けなければいけない。そのため、排泄用検知センサの取り付けや取り外しの操作性が悪いという問題がある。
さらに、粘着テープで固定した場合、排泄用検知センサに何らかの外力が働いたときに、設置している位置がずれるおそれもあるため、排尿等を確実に検知できないおそれもある。
【０００５】
本考案は、排泄用検知センサの取り付けおよび取り外しが容易で、かつ確実に排泄用検知センサが被介護者の排尿・排便を検知できる紙おむつを提供することを目的とする。
【課題を解決するための手段】
【０００６】
上記課題に鑑み、本考案に係る紙おむつは、排泄部を有するおむつ本体と、第一電極と第二電極からなる平面電極、平面電極に接続され、通知手段部と検出部を有する排泄用検知センサと、排泄部に形成されているポケットと、を備え、平面電極が、ポケットに収容されていることを特徴とする。
【０００７】
また、本考案に係る紙おむつは、第一電極が複数の第一直線部および第一直線部に連接する複数の第一屈曲部からなり、第二電極が複数の第二直線部および第二直線部に連接する複数の第二屈曲部からなり、第一電極と第二電極とは、０．８ｍｍ〜１．０ｍｍの間隔を空けて、互い違いに配置され、排泄物の水分によって第一電極および第二電極が導通したことを、検出部によって検出することが好ましい。
【０００８】
さらに、本考案の紙おむつは、第一電極および第二電極は、基板により保持され、第一電極は第一接点を介して第一配線により検出部と、第二電極は第二接点を介して、第二配線により検出部と、それぞれ接続され、第一接点と、第二接点は、隣り合わせに配置され、第一電極および第二電極は、基板の中央付近で、フック状電極と、Ｌ字状電極と、にそれぞれ分岐していることが好ましい。
【考案の効果】
【０００９】
本考案に係る紙おむつは、排泄部にポケットを設けることで、排泄用検知センサの電極を容易に取り付け又は取り外しをすることができる。そのため、排泄用検知センサの取り付けおよび取り外しの作業の手間を省くことができる。さらに、ポケットに排泄用検知センサを収容するため、排泄用検知センサに何らかの外力が働いた場合でも、設置している位置がずれることがなく、排尿等を確実に検知できる。
【図面の簡単な説明】
【００１０】
【図１】本考案の実施形態に係る紙おむつの外観図である。
【図２】本考案の実施形態に係る紙おむつの排泄部を示す図である。
【図３】本考案の実施形態に係る紙おむつの排泄用検知センサの電極および検出部を示す図である。（ａ）はモールド樹脂材に被覆された電極を示し、（ｂ）は（ａ）の矢印Ａの方向から視た電極の図である。
【図４】本考案の実施形態に係る紙おむつの排泄用検知センサの電極および検出部を示す概略回路図である。
【図５】本考案の実施形態に係る紙おむつの排泄部の変形例を示す図である。
【考案を実施するための形態】
【００１１】
本考案の実施形態に係る紙おむつ１は、介護を必要とする被介護者が主として使用するものである。
紙おむつ１は、図１〜図４に示すとおり、排泄部５を有するおむつ本体４と、第一電極１２と第二電極１３からなる平面電極１４（電極部１０）、平面電極１４に接続され、通知手段としての光源２４と検出部２０を有する排泄用検知センサ２と、排泄部５に形成されたポケット３を備え、電極部１０はポケット３に収容されている。
【００１２】
［おむつ本体４］
おむつ本体４は、２つの脚開口部８，９と、内側に排尿・排便を保持する排泄部５を有している（図１）。この排泄部５は、脚開口部８と脚開口部９の間で、かつ排尿・排便する局部に対応する位置に形成されている。この排泄部５には、吸収性材料が使用されている。排出部５は、吸収性材料が多層に積み重ねられて形成されており、多層構造を有している。
また、排泄部５には、ポケット３が１つ形成されている。
【００１３】
［ポケット３］
ポケット３は、矩形状を有し、その内部に電極部１０を収容する。そのため、ポケット３は、電極部１０を収容できる大きさを有している。ポケット３は、不織布からなり、メッシュ状に形成され、排泄部５の表面に形成されている。
ポケット３は、排泄部５の排尿等を検知しやすい位置に、メッシュ生地を両面テープで貼り付けることで、形成されている。このメッシュ素材は、排尿等の水分が通過できる厚さのものを使用する。
ポケット３は、開口部３Ａを有し、開口部３Ａ以外の部分は、付設され閉口している（図２）。この開口部３Ａは、被介護者が紙おむつ１を装着したときに、上方向に開口するように形成されている。
ここで、ポケット３は矩形状に限らず、排泄用検知センサ２を収容できる大きさを有していれば、その形状は限定されない。また、開口部３Ａが開口している方向は、被介護者が装着したときに上方向が最も好ましいが、左方向又は右方向に開口するように形成してもよい。
このポケット３には、芳香剤や消臭剤（図示しない）が設けられている。
【００１４】
［排泄用検知センサ２］
排泄用検知センサ２は、被介護者から排尿等された排泄物の水分を検知し、介護者に知らせるものである。
この排泄用検知センサ２の第一電極１２は複数の第一直線部１２Ａおよび第一直線部１２Ａに連接する複数の第一屈曲部１２Ｂからなる平面電極１４である（図３（ｂ））。また、第二電極１３は複数の第二直線部１３Ａおよび第二直線部１３Ａに連接する複数の第二屈曲部１３Ｂからなる平面電極１４である。第一電極１２と第二電極１３とは、０．８ｍｍ〜１．０ｍｍの間隔を空けて、互い違いに配置され、排泄物の水分によって第一電極１２および第二電極１３が導通したことを、検出部２０によって検出する。また、排泄用検知センサ２は、電極部１０と検出部２０が配線２６,２７によって接続されている。
【００１５】
電極部１０は、基板１１と、基板１１上に形成され、平面電極１４を備えている。電極部１０の外周面の一部および配線２６，２７の一部は、モールド樹脂材１９により被覆されている（図３（ａ））。
基板１１は、板状のガラスエポキシ樹脂からなり、円形状を有する。基板１１上には、第一電極１２と第二電極１３が、それぞれ露出して形成されている。
第一電極１２と第二電極１３は、基板１１上に厚さ０．３５ｍｍの銅箔を張り、無電解金フラッシュメッキ処理により形成される。第一電極１２及び第二電極１３の幅は、それぞれ０．８ｍｍ〜１．０ｍｍに設定されている。
この第一電極１２および第二電極１３は、基板１１の中央付近で、それぞれ分岐し、分岐した電極の一方はフック状に形成され、他方はＬ字状に形成されている。フック状の第一電極１２は、２つの第一直線部１２Ａと、この第一直線部１２Ａ同士をつなぐ第一屈曲部１２Ｂを有している。一方、Ｌ字状の第一電極１２は、第一直線部１２Ａと、第一直線部１２Ａに連接する第一屈曲部１２Ｂを有している。同様に、フック状の第二電極１３は、２つの第二直線部１３Ａと、この第二直線部１３Ａ同士をつなぐ第二屈曲部１３Ｂを有している。一方、Ｌ字状の第二電極１３は、第二直線部１３Ａと、第二直線部１３Ａに連接する第二屈曲部１３Ｂを有している。
【００１６】
第一直線部１２Ａは、他の第一直線部１２Ａおよび第２直線部１３Ａと他の第２屈曲部１３Ｂと平行となるように配置され、第一屈曲部１２Ｂは他の第一屈曲部１２Ｂおよび第２屈曲部１３Ｂと平行となるように配置されている。第一直線部１２Ａは、隣り合う第二直線部１３Ａおよび第二屈曲部１３Ｂと、間隔ｄをあけて配置されている。同様に、第一屈曲部１２Ｂは、第二直線部１３Ａおよび第二屈曲部１３Ｂと、間隔ｄをあけて配置されている。そのため、第一電極１２と第二電極１３は櫛歯状に、互い違いに配置される。
第一電極１２と第二電極１３が短絡することを防止し、センサの精度が低下することを防止するために、間隔ｄは０．８ｍｍ〜１．０ｍｍに設定されている。
【００１７】
また、第一電極１２の一端は、接点１５を介して配線２６とつながっており、配線２６は検出部２０と接続されている。同様に、第二電極１３は、接点１６を介して配線２７とつながっており、配線２７は検出部２０と接続されている。そのため、平面電極１４は、回路２１と電気的に接続されている。
接点１５と接点１６は、基板１１の外周側に隣り合うように形成されている。接点１５，１６は、第二電極１３の分岐する位置よりも、第一電極１２が分岐する位置に近い外周側に形成されている。そのため、第二電極１３は、第一電極１２よりも、長く形成されている。
【００１８】
検出部２０は、図４に示すように、平面電極１４と接続される回路２１と、回路２１上に設けられる、電源２２と、スイッチ２３と、光源２４と、コンデンサ２５と、を備え、これらの電子部品は、それぞれ直列に繋がれている。
電源２２は、回路２１に電流を供給するものであり、本実施形態では、直列に繋がれた２つの乾電池（１．５Ｖ）により構成される。スイッチ２３は、回路２１に電流を供給している状態（ＯＮ状態）、または、電流を供給していない状態（ＯＦＦ状態）に、それぞれ操作するものである。被介護者が紙おむつ１を使用しているときは、回路２１をＯＮ状態にし、紙おむつ１を使用していないときはＯＦＦ状態となるように、スイッチ２３を操作する。光源２４は、回路２１が通電すると点灯する。本実施形態では、光源２４にＬＥＤ電球を使用する。コンデンサ２５は、電源２２と光源２４の間に配置される。
【００１９】
次に、本実施形態にかかる紙おむつ１の作用効果について説明する。
電極部１０は、電極部１０全体がポケット３の内部に収容されるように、開口部３Ａから挿入されることで取り付けられる。平面電極１４が露出している面が、身体と直接接触しないように、排泄用検知センサ２を取り付けなければいけないところ、本実施形態の排泄用検知センサ２の平面電極１４が露出している面は、ポケット３あるいは排泄部５に接触する。したがって、電極部１０をポケット３に挿入する際に、裏表を確認する必要がなくなるため、電極部１０を挿入する際の手間を省くことができる。
また電極部１０は、ポケット３に収容されるため、電極部１０を取り付ける位置を決めて、粘着テープ等で排泄部５に固定する必要がない。したがって、電極部１０を紙おむつ１に固定するための手間を省くことができる。
【００２０】
排泄用検知センサ２は、ポケット３に収容されているため、排泄用検知センサ２に何らかの外力が加わった場合でも、設置されている位置がずれることはない。したがって、排泄用検知センサ２は、被介護者の排尿等を確実に検知することができる。
さらに、ポケット３の開口部３Ａは、被介護者が装着したときに上側に向くように形成されている。そのため、電極部１０は、自重によりポケット３の内部から抜け落ちることを防止することができる。したがって、電極部１０をポケット３の内部に安定に保持することができる。
【００２１】
排泄用検知センサ２は、被介護者が排尿等した排泄物の水分によって第一電極１２および第二電極１３が導通したことを、検出部２０によって検出する。
被介護者が紙おむつ１を着用した後、検出部２０のスイッチ２３を操作し、回路２１をＯＮ状態にする。被介護者が排尿等をすると、排出された水分が紙おむつ１に浸み込み、浸み込んだ水分は第一電極１２と第二電極１３の間に介在する。そうすると、第一電極１２と第二電極１３は電気的につながり、回路２１が通電するため、光源２４が点灯する。
光源２４が点灯することで、介護者は、それを見て被介護者が排尿等をしたことを知ることができる。光源２４の点灯を確認した介護者は、被介護者の紙おむつ１を適切なタイミングで交換することができる。
【００２２】
被介護者の紙おむつ１を交換する際、紙おむつ１は、ポケット３から電極部１０が取り外され、廃棄される。一方、取り外された電極部１０は、消毒され、再利用される。
電極部１０は、接続されている配線２６，２７を引っ張ることで、開口部３Ａを介してポケット３から取り外すことができる。また、ポケット３の上から、電極部１０を開口部３Ａの方向に押し出し、開口部３Ａを介して電極部１０をポケット３から取り外すことができる。
このように、電極部１０がポケット３に収容されていることで、紙おむつ１を交換するときに、電極部１０を容易に取り外すことができる。
【００２３】
また、本実施形態の紙おむつ１のポケット３には、芳香剤また消臭剤が設けられている。そのため、被介護者が排尿等をした場合でも、排泄物の臭気が周囲に漏れることを防止でき、周囲の環境が悪化することを防ぐことができる。
【００２４】
［変形例］
次に、本実施形態の変形例について説明する。
本実施形態の変形例に係る紙おむつ１は、図５に示すとおり、排泄部５の内部にポケット６が形成されている。
排泄部５は、多層構造であるため、吸収材料の表層に切り込みを入れ、開口部７を形成し、表層とその下層の間にポケット６を形成する。電極部１０は、このポケット６に収容される。なお、変形例の紙おむつ１は、ポケット６の構成以外、本実施形態の紙おむつ１と同じ構成をとっている。
変形例に係る紙おむつ１は、排泄部５を構成する吸収材料に切り込みを入れるだけでポケット６を形成することができる。そのため、おむつ本体４を構成する素材のみでポケット６を形成することができる。さらに、排泄部５に切りこみをいれるという簡単な作業でポケット６を形成することができる。
よって、排泄部５に他の素材を用いてポケットを形成する場合と比較して、コストを削減することができる。
【００２５】
以上、本考案の実施形態について説明したが、これ以外にも、本考案の主旨を逸脱しな
い限り、上記実施の形態で挙げた構成を取捨選択したり、他の構成に適宜変更することが
可能である。
例えば、排泄用検知センサ２は、複数個設けることができる。排泄用検知センサ２を複数設けることにより、より確実に排尿等を検知することができる。
本実施形態では、紙おむつについて説明したが、例えば、生理用品にポケットを設けて排泄用検知センサを取り付けることもできる。
【符号の説明】
【００２６】
１      紙おむつ
２      排泄用検出センサ
３      ポケット
３Ａ    開口部
４      おむつ本体
５      排泄部
６      ポケット
７      開口部
８      脚開口部
９      脚開口部
１０    電極部
１１    基板
１２    第一電極
１２Ａ  第一直線部
１２Ｂ  第一屈曲部
１３    第二電極
１３Ａ  第二直線部
１３Ｂ  第二屈曲部
１４    平面電極
１５    接点
１６    接点
１９    モールド樹脂材
２０    検出部
２１    回路
２２    電源
２３    スイッチ
２４    光源（通知手段部）
２５    コンデンサ
２６    配線
２７    配線
【図１】
0003201723.tif 000003
【図２】
0003201723.tif 000004
【図３】
0003201723.tif 000005
【図４】
0003201723.tif 000006
【図５】
0003201723.tif 000007